(57)【要約】【課題】開閉状態で視線を遮ることができ、採光、換気に都合の良い窓の提供。【解決手段】建物Ａの開口部Ｂａに備えられる窓Ｃであって、この窓Ｃが窓枠１０と、透かし見ることのできないガラス板を備えて当該窓枠１０に組み付けられるガラス戸２０とを備えており、このガラス戸２０が、前記窓枠１０に密着して前記開口部Ｂａを塞ぐ位置と、この窓枠１０との間に換気空間Ｆを構成するように前記開口部Ｂａの前方にあって該窓枠１０に向きあうように平行に位置づけられる位置との間を水平線に沿って平行移動させる支持手段Ｄで該窓枠１０に組み付けてある。【選択図】図２
2007224691.tif 000002
【特許請求の範囲】
【請求項１】
建物の開口部に備えられる窓であって、
この窓が窓枠と、透かし見ることのできないガラス板を備えて当該窓枠に組み付けられるガラス戸とを備えており、
このガラス戸が、前記窓枠に密着される位置と、この窓枠との間に換気空間を構成するように前記開口部の前方にあって該窓枠に向きあうように平行に位置づけられる位置との間を水平線に沿って平行移動させる支持手段で該窓枠に組み付けられていることを特徴とする窓。
【発明の詳細な説明】
【技術分野】
【０００１】
この発明は、ガラス戸を開いた状態においても視線を遮った状態にして用いることのできる窓の提供に関する。
【背景技術】
【０００２】
建物の外壁に、採光や換気等の目的で設置される窓は屋外を見得るように透明のガラス戸等として構成される場合と、外部から覗き見られないように透かし見ることのできないガラス戸を備えて窓を構成したり、カーテンやブラインド等を併用したり、ルーバを組み付けたりして、視線を遮った状態に構成する場合があった。
【０００３】
しかしながら、建物の外壁の開口部に備えられる窓は、採光や換気等種々の目的で開閉される必要があり、戸の先端を屋外側に押し上げるように開きだして換気等をなすようにした開き窓がある（例えば、特許文献１）。また、同様に屋外側に戸を開き出すと共に屋内側にルーバを傾けるようにして換気等に対応する窓装置がある（例えば、特許文献２）。また、同様に換気等の目的から戸を屋内側に観音開き状態に開くようにした窓がある（例えば、特許文献３）。
【０００４】
【特許文献１】特開平７−１７３９６７号公報
【特許文献２】特開２００３−２３９６３９号公報
【特許文献３】特開平９−２７３３６２号公報
【発明の開示】
【発明が解決しようとする課題】
【０００５】
外壁の開口部に備えられる窓は、このように人の出入りや、物の出し入れや、採光や、換気等の種々の目的で開きだして用いられることがあり、このような開きだし状態において、外部からの視線を効果的に遮るには不向きであった。
【０００６】
この発明は、かかる点から、外部からの視線を効果的に遮った状態で、効率の良い換気をなすことのできる窓の提供をなそうとするものである。
【課題を解決するための手段】
【０００７】
この発明は、前記課題を解決するために、建物の開口部に備えられる窓であって、この窓が窓枠と、透かし見ることのできないガラス板を備えて当該窓枠に組み付けられるガラス戸とを備えており、
このガラス戸が、前記窓枠に密着される位置と、この窓枠との間に換気空間を構成するように前記開口部の前方にあって該窓枠に向きあうように平行に位置づけられる位置との間を水平線に沿って平行移動させる支持手段で該窓枠に組み付けられていることを特徴とする窓としてある。
【０００８】
このように構成される窓にあっては、当該ガラス戸を締め込んだ際に、屋外と完全に遮断された屋内空間を、好適な採光状態で、しかも、視線を遮った屋内空間として構成でき、また、このガラス戸を屋外方向に直進させるように押し出すことによって、効率の良い採光状態で、透かし見られることのない好適な屋内空間を屋外に連通状態にして効率の良い換気状態にして用いることができる。
【発明の効果】
【０００９】
この発明に係る窓は、閉じた状態でも、開いた状態でも、屋外から透かし見られることなく、効果的に採光ができ、しかも、閉じた状態では、屋内を気密状態に維持し得ると共に、開いた状態では、屋内空間を大気解放状態にして効率の良い自然換気をなすことができる。
【発明を実施するための最良の形態】
【００１０】
以下、図１〜図６にもとづいて、この発明を実施するための最良の形態に係る窓について説明する。
【００１１】
なお、ここで図１は当該発明を実施するための最良の形態に係る典型的な窓Ｃをガラス戸２０を閉めた状態で、図２では、換気等の目的から当該ガラス戸２０を開き出した状態を建物Ａの要部を断面して示している。図３では、これを屋内Ａａ側から見て、更に、図４では、この窓Ｃに備えられている網戸Ｅの一部を破断した状態を屋内Ａａ側からそれぞれ見て示している。図５は、ガラス戸２０及びガラス戸２０を平行移動させる支持手段Ｄの一部を斜め上方から見て示している。更に、図６は、このガラス戸２０の典型的な繰り出し引き戻し手段の一部を斜め上方から見て示している。
【００１２】
この発明を実施するための最良の形態に係る窓Ｃは、建物Ａの開口部Ｂａに備えられる窓Ｃであって、この窓Ｃが窓枠１０と、透かし見ることのできないガラス板を備えて当該窓枠１０に組み付けられるガラス戸２０とを備えており、このガラス戸２０が、前記窓枠１０に密着して前記開口部Ｂａを塞ぐ位置と、この窓枠１０との間に換気空間Ｆを構成するように前記開口部Ｂａの前方にあって該窓枠１０に向きあうように平行に位置づけられる位置との間を水平線に沿って平行移動させる支持手段Ｄで該窓枠１０に組み付けてある。
【００１３】
このように構成される窓Ｃにあっては、当該ガラス戸２０を締め込んだ際に、屋外Ａｂと完全に遮断された屋内Ａａ空間を、好適な採光状態で、しかも、透かし見られることのないプライバシーの確保された屋内Ａａ空間として構成することができる。また、このガラス戸２０を屋外Ａｂ方向に直進させるように押し出すことによって、効率の良い採光状態を維持しながら、透かし見られることのないプライバシーの確保された屋内Ａａ空間を維持しつつ、当該屋内Ａａ空間を屋外Ａｂの外気に連通状態として効率の良い自然換気をなすことができる。
【００１４】
かかるガラス戸２０に備えられるガラス板は、屋外Ａｂから屋内Ａａを透かし見ることのできないガラス板であれば、いかなるガラス板であってもよく、例えば、片面や両面に種々の型模様を施して視線を遮るようにしてある型板ガラス等で構成することができる。
【００１５】
また、このガラス戸２０を平行移動させるように窓枠１０に組み付ける支持手段Ｄは、当該ガラス戸２０が窓枠１０に密着される位置と、当該ガラス戸２０が屋外Ａｂ側に直進状態に送り出されて前記開口部Ｂａの前方にあって、前記窓枠１０との間に換気空間Ｆを構成するように、この窓枠１０に平行に向き合わされる位置との間を、水平線に沿って、すなわち、同一の鉛直方向の高さ位置を維持しながら、平行移動させ得るものであれば、いかなる形態からなるものであってもよい。例えば、ガラス戸２０に水平向きに備えられる支持ロッドを窓枠１０で支持し、この支持ロッドを水平向きに種々の力を用いて移動させることによって、当該ガラス戸２０を窓枠１０に密着した状態から平行状態を維持しながら水平向きに移動させて、当該窓枠１０とガラス戸２０との間に換気空間Ｆを構成するようにしたり、各種の平行リンク機構を用いて当該ガラス戸２０を窓枠１０に密着している状態から、水平線に沿って、すなわち、ガラス戸２０の鉛直向きの高さを変えること無く、屋外Ａｂ側に向けて窓枠１０に平行に、種々の力を用いて、繰り出し、かつ、引き戻すことで、当該窓枠１０とガラス戸２０との間に換気空間Ｆを構成したり、当該窓枠１０にガラス戸２０を密着させる支持手段Ｄを構成することができる
【００１６】
以下、かかる窓Ｃを更に子細に説明する。この図示例に係る窓Ｃは、建物Ａにおける屋内Ａａと屋外Ａｂとを仕切る外壁Ｂの開口部Ｂａに設けてあり、この外壁Ｂの庇Ｂｂの下方にあって壁を構成するまぐさＢｃと窓台Ｂｄ等で構成される開口部Ｂａに窓枠１０を設け、この窓枠１０にガラス戸２０を組み付けるようにしてある。
【００１７】
この図示例にあっては、上枠１１と下枠１２と左右の縦枠１３とを備えて矩形の窓枠１０が構成してあり、この窓枠１０に組み付けられて、密着した状態で、当該窓枠内空間、すなわち、外壁Ｂにおける開口を塞ぐように矩形のガラス戸２０が、この窓枠１０に備えられている。
【００１８】
また、この窓枠１０内には、別段に網戸Ｅが設置されており、この窓枠１０の一方の縦枠１３に蝶番Ｅｃで開閉可能に取り付けてある。この網戸Ｅは、取っ手Ｅｂを備えており、その先端側の下端部に欠切部Ｅａを有し、追って説明するピニオンボックス４１を避けて締め切り得るように構成してある。
【００１９】
この図示例に係るガラス戸２０は、上枠２２ａ、下枠２２ｂ及び左右の縦枠２２ｃからなる矩形の戸枠２２内に視線を遮ることのできる型板ガラス２１を組み入れて構成してあり、前記窓枠１０に対して、当該窓枠１０の上枠１１、下枠１２及び縦枠１３間に構成される空間を密に塞ぐ形状、寸法に構成してあり、当該窓枠１０に支持手段Ｄで組み付け得るようにしてある。
【００２０】
かかる窓枠１０に対するガラス戸２０の組み付けをなす支持手段Ｄは、この図示例にあっては、当該ガラス戸２０を窓枠１０に対して平行移動させる平行移動手段３０と当該ガラス戸２０を窓枠１０位置から外方に押し出し、かつ、引き戻す駆動手段４０とを備える構成としてあり、窓枠１０にガラス戸２０を密着した状態から、この窓枠１０とガラス戸２０との間にチムニー状に換気空間Ｆを構成する位置まで、当該ガラス戸２０を、窓枠１０に向き合い、かつ、平行を維持した状態で、すなわち、同一の水平線に沿って、その鉛直方向の高さを維持しながら平行移動させ、かつ、窓枠１０に密着する位置まで再度、平行に復動させる構成としてある。
【００２１】
かかる支持手段Ｄを構成する平行移動手段３０は、この図示例にあっては、ガラス戸２０の両側縁部と、窓枠１０の各縦枠１３との間に組み付けられる一対のアーム３１，３１と、このアーム３１の組み付けられる窓枠１０のガイドプレート３２と、ガラス戸２０のガイドプレート３３とを備え、更に、必要に応じてガイドプレート５０及びガイドプレート受け５１とを備える構成としてある。
【００２２】
この窓枠１０に備えられるガイドプレート３２は、この図示例にあっては、窓枠１０を構成する縦枠１３の面に上下方向に向けてスライド溝３２ｂを備えると共に上端部の同一高さ位置に孔３２ａを備えるように設けてあり、左右の各縦枠１３に向き合うように設けてある。かかるガイドプレート３２は、更に具体的には、長方形状の板を屈曲して断面形状がほぼ台形状で、かつ、各下底側に外鍔を設けた構成とし、溝状部３２ｃを縦枠１３に向けて当該縦枠１３に縦向きに止着してあり、この溝状部３２ｃの溝底をなす板部、すなわち、当該ガイドプレート３２の上底をなす張り出し板部を取り付け面３２ｄとして構成してあり、この取り付け面３２ｄの上部側に孔３２ａを下部側に縦向きにスライド溝３２ｂを設けてあって、この孔３２ａ及びスライド溝３２ｂから入れ込まれる枢支軸３１ｂ、軸ピン３１ｃが溝状部３２ｃ内で当該ガイドプレート３２に対して抜け外れないように組み付けられる構成としてある。
【００２３】
また、ガイドプレート３３は、ガラス戸２０における左右の縦枠２２ｃのそれぞれに互いに向きあうように設けてあって、上下方向に向けて長い長方形の板状をなすように備えられており、この縦枠２２ｃから、前記窓枠１０側に向けてほぼ直角に突き出すように設けてある。そして、このガイドプレート３３には、その上部側に孔３３ａを同一の高さに設けてあり、また、その下部側に縦方向に長いスライド溝３３ｂを設けてある。
【００２４】
この図示例に係るアーム３１は、ガラス戸２０の両側と、これに対応する窓枠１０の各縦枠１３との間にそれぞれ位置するように備えられており、長さ方向の中心で軸３１ａで回動自在に交差状態に連結されてＸ字状をなすように構成されている２本のアームバー３１’、３１’と、この各アームバー３１’、３１’の一端側、この図示例にあっては、それぞれの上端部に備えられている枢支軸３１ｂ，３１ｂの一方を窓枠１０に備えられているガイドプレート３２の孔３２ａに枢支し、かつ、他方の上端部に備えられている枢支軸３１ｂをガラス戸２０に備えられているガイドプレート３３の孔３３ａに枢支してあり、更に、当該アームバー３１’、３１’の一方の下端部にある軸ピン３１ｃを窓枠１０に備えられているガイドプレート３２のスライド溝３２ｂに、他方の下端部にある軸ピン３１ｃをガラス戸２０に備えられているガイドプレート３３のスライド溝３３ｂに摺動自在に組み付けてあり、当該アームバー３１’，３１’がクロス状をなすようにしてある。
【００２５】
このように組み付けられるアーム３１は、その上端部にある枢支軸３１ｂ、３１ｂが同一の高さ位置でガイドプレート３２の孔３２ａとガイドプレート３３の孔３３ａに枢支され、この枢支高さを維持しながらガラス戸２０を窓枠１０に対して平行移動し得るように構成してある。
【００２６】
また、このガラス戸２０の平行移動をより確実とし、かつ、そのぶれを防ぐなどの点から、この図示例にあっては別段にガイド手段を設けてある。このガイド手段は、長方形の板状をなすガイドプレート５０と、このガイドプレート５０を受け入れて平行にガラス戸２０を案内する溝５１ａを備えるガイドプレート受け５１で構成してあり、この図示例にあっては、ガイドプレート５０をガラス戸２０の上枠２２ａから窓枠１０に向けて水平に突設してあり、窓枠１０における上枠１１の下面に備えられているガイドプレート受け５１の溝５１ａ内で当該ガイドプレート５０が摺動して、当該ガラス戸２０が窓枠１０に対して平行移動するように構成してある。
【００２７】
このように窓枠１０に対して平行移動可能に組み付けられたガラス戸２０は適宜の駆動手段４０によって、当該窓枠１０に密着した状態とすることができ、また、この窓枠１０から直進するように前方に向けて押し出すことができる。この図示例にあっては、当該ガラス戸２０に備えられているラック４２を窓枠１０に備えられているピニオン４１ａによって駆動し、この窓枠１０に対してガラス戸２０の位置決めをなすように構成してあり、操作の都合から当該ガラス戸２０に備えられるラック４２をガラス戸２０の下枠２２ｂから突設して、窓枠１０における下枠１２の上面を摺動するように設け、このラック４２の上向きのラック歯に歯合する位置の下枠１２に縦枠１３に接するようにピニオンボックス４１を設けてある。
【００２８】
かかるガラス戸２０を移動させるピニオン４１ａは、ピニオンボックス４１内に設置されてラック４２に歯合してあり、このピニオン４１ａに歯合される駆動歯車４１ｂの駆動軸４１ｂ’にハンドル４１ｃを着脱可能に設けてあり、ガラス戸２０の操作に際して、当該ハンドル４１ｃを駆動軸４１ｂ’に連結して駆動歯車４１ｂでピニオン４１ａを回転させてラック４２を前後方向に移動させ、必要なガラス戸２０の開閉動作をなすようにしてある。
【図面の簡単な説明】
【００２９】
【図１】典型的な窓を備える外壁の要部をガラス戸を閉じた状態で示す縦断面図
【図２】同ガラス戸を開いた状態の縦断面図
【図３】同屋内側から見た正面図
【図４】同屋内側から見た一部破断正面図
【図５】同要部部品の斜視図
【図６】同更に他の要部部品の斜視図
【符号の説明】
【００３０】
Ａ  建物
Ｂ  外壁
Ｃ  窓
Ｄ  支持手段
Ｆ  換気空間
１０  窓枠
２０  ガラス戸
３０  平行移動手段
４０  駆動手段
【図１】
2007224691.tif 000003
【図２】
2007224691.tif 000004
【図３】
2007224691.tif 000005
【図４】
2007224691.tif 000006
【図５】
2007224691.tif 000007
【図６】
2007224691.tif 000008